(57)【要約】【課題】引き出しケーブルの半田付け部に加わるストレスを解消し、接続不良を回避する。【解決手段】アンテナ素子と、アンテナ素子と接続され引き出しケーブルが接続されるプリント基板と、プリント基板に搭載される電子部品が収容されるシールドケースと、アンテナ素子、プリント基板、シールドケースが収容されるボトムカバー及びトップカバーとを有するアンテナ装置である。シールドケースには、ケーブル保持爪が切り起こし形成され、このケーブル保持爪をかしめることにより引き出しケーブルが固定されている。【選択図】  図２
2004289525.tif 000002
【特許請求の範囲】
【請求項１】
アンテナ素子と、
前記アンテナ素子と接続され、引き出しケーブルが接続されるプリント基板と、
前記プリント基板に搭載される電子部品が収容されるシールドケースと、
前記アンテナ素子、プリント基板、シールドケースを収容するボトムカバー及びトップカバーとを有し、
前記シールドケースには、ケーブル保持爪が切り起こし形成され、このケーブル保持爪をかしめることにより前記引き出しケーブルが固定されていることを特徴とするアンテナ装置。
【請求項２】
前記引き出しケーブルは、前記プリント基板に対して半田付けにより接続されていることを特徴とする請求項１記載のアンテナ装置。
【発明の詳細な説明】
【０００１】
【発明の属する技術分野】
本発明は、いわゆるＧＰＳアンテナのようなアンテナ装置に関し、例えば自動車のボディ等に取付けられ、引き出しケーブルが車内に引き込まれるアンテナ装置に関する。
【０００２】
【従来の技術】
車載用のアンテナ装置は、アンテナ素子等を有するアンテナモジュールをボディの任意の位置、例えば屋根付近等に取付けることにより設置される。アンテナ素子は、全指向性アンテナ素子であり、衛星ラジオ放送信号、グローバルポジショニングシステム（ＧＰＳ）信号、セルラ電話信号等、様々な信号を受信するのに好適である。
【０００３】
【発明が解決しようとする課題】
ところで、上述の車載用のアンテナ装置では、アンテナ素子からの出力を取り出すために、車内に引き出しケーブルを引き込み、これを衛星ラジオ放送等の受信装置に接続する必要がある。そのため、アンテナ素子にプリント基板を接続するとともに、ここに引き出しケーブルを半田付けすることにより、ケーブルの引き出しを行っている。
【０００４】
しかしながら、この場合、引き出しケーブルはプリント基板に対して半田付けされているだけであり、ケーブルに引っ張り力が加わると、ストレスが半田付け部に集中して、引き出しケーブルがプリント基板から外れる虞れがある。また、ケーブルが脱落しないまでも、電気的に接続不良となる虞れがある。特に車載用のアンテナ装置等では、振動等により引っ張り力が加わり易く、ケーブルの引っ張り対策が必要不可欠である。
【０００５】
本発明は、このような従来の実情に鑑みて提案されたものであり、ケーブルに引っ張り力が加わっても半田付け部にストレスが加わることがなく、ケーブルのプリント基板からの脱落や接続不良を回避することが可能な信頼性の高いアンテナ装置を提供することを目的とする。
【０００６】
【課題を解決するための手段】
上述の目的を達成するために、本発明に係るアンテナ装置は、アンテナ素子と、前記アンテナ素子と接続され、引き出しケーブルが接続されるプリント基板と、前記プリント基板に搭載される電子部品が収容されるシールドケースと、前記アンテナ素子、プリント基板、シールドケースを収容するボトムカバー及びトップカバーとを有し、前記シールドケースには、ケーブル保持爪が切り起こし形成され、このケーブル保持爪をかしめることにより前記引き出しケーブルが固定されていることを特徴とするものである。
【０００７】
本発明のアンテナ装置では、シールドケースに設けられたケーブル保持爪をかしめることにより、引き出しケーブルが機械的に保持される。したがって、引き出しケーブルに引っ張り力が加わっても、プリント基板への半田付け部にストレスが加わることがなく、接続不良が解消される。また、引き出しケーブルが半田付けされたプリント基板は、アンテナ素子とともにシールドケース内に収容されており、シールドケースとプリント基板とが相対的に移動することはない。したがって、前記ケーブル保持爪による保持位置と半田付け位置の間でストレスが加わることもない。
【０００８】
【発明の実施の形態】
以下、本発明に係るアンテナ装置について、添付の図面を参照して詳細に説明する。
【０００９】
図１は、本発明を適用したアンテナ装置を分解して示す図である。このアンテナ装置は、アンテナ素子１と、このアンテナ素子１と外部機器との接続を図るためのプリント基板２及び引き出しケーブル３、アンテナ素子１の底面側を収容しこれをシールドするシールドケース４、アンテナ素子１とプリント基板２とシールドケース４を一体にしたアンテナユニットを上下方向から収容するボトムカバー５及びトップカバー６とから構成されている。
【００１０】
前記アンテナ素子１には、例えば全方位指向性を有するヘリカル状のアンテナ素子が搭載され、衛星ラジオ放送信号、グローバルポジショニングシステム（ＧＰＳ）信号、セルラ電話信号等、様々な信号を受信する。受信された信号は、前記プリント基板２及び引き出しケーブル３を介して車内の受信装置へ導入される。
【００１１】
前記ボトムカバー５には、下方に突き出した略々円筒状のボス５ａが設けられており、このボス５ａ内を挿通して前記引き出しケーブル３が車内へと引き込まれる。また、このボトムカバー５とトップカバー６とは、ネジ７によって機械的に固定される。
【００１２】
組み立てられたアンテナ装置は、例えば自動車のボディの任意の位置（屋根等）に取り付けられる。アンテナ装置は、ボトムカバー５が自動車のボディ８と接するように載置されるが、このとき、ボトムカバー５と自動車のボディ８の間にゴム製のガスケット９を介在させることにより、雨水の侵入等を防止する。
【００１３】
アンテナ装置のボディ８に対する固定は、アンテナ装置のボトムカバー５に設けられたボス５ａをボディ８の貫通孔に挿入する。挿入されたボス５ａに、例えば、図示しないボルトとワッシャーを取り付け車内側よりにネジ止め固定する。引き出しケーブル３は、自動車内に挿入されたボス５ａに設けられた切り欠き部から車内へと引き込まれる。
【００１４】
次に、前記引き出しケーブル３のアンテナ素子１への接続部分について説明する。先にも延べたように、引き出しケーブル３は、プリント基板２を介してアンテナ素子１と接続される。プリント基板２とアンテナ素子１とは半田付け（ソルダリング）により接続されるが、引き出しケーブル３もプリント基板２に対して半田付けにより接続される。この引き出しケーブル３のプリント基板２への接続状態を図２（ａ）及び図２（ｂ）に示す。
【００１５】
引き出しケーブル３は、例えば同軸ケーブルからなり、その先端部において絶縁被膜が剥がされ、中心線３ａと被覆線３ｂとがむき出しの状態とされる。そして、これら中心線３ａ及び被覆線３ｂがそれぞれ半田１２によって半田付けされ、プリント基板２と電気的及び機械的に接続される。
【００１６】
従来のアンテナ装置では、引き出しケーブル３は、前記半田付けのみにより機械的な固定が行われており、引き出しケーブル３に引っ張り力が加わると、ストレスが半田付け部に集中し、例えば金属疲労等により半田付け部に亀裂等が生じて引き出しケーブル３がプリント基板２から脱落する虞れがある。また、引き出しケーブル３が脱落しないまでも、電気的に接続不良となる可能性がある。
【００１７】
そこで、本発明では、図２（ａ）及び図２（ｂ）に示すように、シールドケース４にケーブル保持爪１３を切り起こし形成し、これをかしめることで引き出しケーブル３を機械的に保持し、前記半田付け部のみならず、このケーブル保持爪１３でも引き出しケーブル３を支持するようにしている。
【００１８】
シールドケース４には、引き出しケーブル３を外部に引き出すための切り込み４ａが引き出しケーブル３の延在方向に形成されるが、本発明では、その中途部に切片状のケーブル保持爪１３を残し、このケーブル保持爪１３により引き出しケーブル３をかしめる。
【００１９】
シールドケース４は、金属により形成されており、十分な機械的強度を有する。したがって、引き出しケーブル３をケーブル保持爪１３で機械的に保持しておけば、図中矢印方向に引っ張り力が加わっても、引っ張り力はケーブル保持爪１３で押さえられ、引き出しケーブル３先端の半田付け部に加わることはない。したがって、半田付け部にストレスが加わることがなく、前述のような接続不良は全て解消される。
【００２０】
【発明の効果】
以上の説明からも明らかなように、本発明のアンテナ装置においては、シールドケースに設けられたケーブル保持爪により引き出しケーブルを機械的に保持するようにしているので、引き出しケーブルに引っ張り力が加わっても半田付け部にストレスが加わることがなく、引き出しケーブルのプリント基板からの脱落や接続不良を回避することが可能な信頼性の高いアンテナ装置を提供することが可能である。
【図面の簡単な説明】
【図１】本発明を適用したアンテナ装置を分解して示す側面図である。
【図２】引き出しケーブルのプリント基板への接続部を示すものであり、（ａ）は概略側面図、（ｂ）は概略底面図である。
【符号の説明】
１        アンテナ素子
２        プリント基板
３        引き出しケーブル
４        シールドケース
１２      半田
１３      ケーブル保持爪
【図１】
2004289525.tif 000003
【図２】
2004289525.tif 000004